(57)【要約】【課題】  特殊な装置や、免許を必要とせずに、手軽に鬼ごっこの一種であるフォックスハンティングを行うことができるアミューズメントシステムの提供。【解決手段】  逃亡者移動端末３０と、逃亡者移動端末３０からの逃亡者識別情報１３を管理する管理サーバ２０と、逃亡者識別情報１３を入手する複数の捜索者移動端末４０とからなるアミューズメントシステム１０であって、管理サーバ２０が、逃亡者捕獲情報１４が記憶されているか否かを判断する管理サーバ判断手段３７と、管理サーバ判断手段３７により逃亡者捕獲情報１４が記憶されたと判断された場合に逃亡者捕獲情報１４を、捜索者移動端末４０へ送信する管理サーバ送信手段２５とを備えることを特徴とする。【選択図】  図１
2008183231.tif 000002
【特許請求の範囲】
【請求項１】
逃亡者が有する逃亡者移動端末と、該逃亡者移動端末からの逃亡者識別情報を管理する管理サーバと、該管理サーバから該逃亡者識別情報を入手する複数の捜索者が有する捜索者移動端末とからなるアミューズメントシステムにおいて、
上記逃亡者移動端末は、
静止画像及び／又は動画像を撮像する撮像手段と、
地球測位システムによる現在位置情報を取得する現在位置情報取得手段と、
少なくとも、上記撮像手段により撮像された静止画像及び／又は動画像と上記現在位置情報取得手段により取得された現在位置情報とを含む上記逃亡者識別情報を上記管理サーバへ送信する逃亡者移動端末送信手段とを備え、
上記捜索者移動端末は、
上記管理サーバから送信されてくる逃亡者識別情報を受信する捜索者移動端末受信手段と、
上記逃亡者を捕獲することにより得られる逃亡者捕獲情報が入力される捜索者移動端末入力手段と、
上記捜索者移動端末入力手段により入力された逃亡者捕獲情報を上記管理サーバへ送信する捜索者移動端末送信手段とを備え、
上記管理サーバは、
上記逃亡者移動端末からの逃亡者識別情報、及び、上記捜索者移動端末からの逃亡者捕獲情報を受信する管理サーバ受信手段と、
上記管理サーバ受信手段により受信した上記逃亡者識別情報、及び、上記捜索者移動端末からの逃亡者捕獲情報を記憶する管理サーバ記憶手段と、
上記管理サーバ記憶手段に、上記逃亡者捕獲情報が記憶されているか否かを判断する管理サーバ判断手段と、
上記管理サーバ記憶手段により記憶された逃亡者識別情報に基づいて上記逃亡者を識別する情報を上記捜索者移動端末へ送信するとともに、上記管理サーバ判断手段により上記管理サーバ記憶手段に上記逃亡者捕獲情報が記憶されたと判断された場合に当該逃亡者捕獲情報を、上記捜索者移動端末へ送信する管理サーバ送信手段とを備える
ことを特徴とするアミューズメントシステム。
【請求項２】
上記管理サーバは、さらに、残時間を算出する残時間算出手段を有し、
上記残時間算出手段により算出された残時間を、上記管理サーバ送信手段により、上記逃亡者移動端末及び捜索者移動端末へ送信する
ことを特徴とする請求項１記載のアミューズメントシステム。
【請求項３】
上記逃亡者移動端末の逃亡者移動端末送信手段は、上記管理サーバへ、上記逃亡者である旨と、当該逃亡者移動端末の識別情報とを送信し、
上記捜索者移動端末の捜索者移動端末送信手段は、上記管理サーバへ、上記捜索者である旨と、当該捜索者移動端末の識別情報とを送信し、
上記管理サーバの管理サーバ受信手段は、上記逃亡者移動端末及び捜索者移動端末のそれぞれの識別情報を受信し、
上記管理サーバの管理サーバ記憶手段は、上記逃亡者移動端末及び捜索者移動端末のそれぞれの識別情報を記憶し、
上記管理サーバは、さらに、上記管理サーバ記憶手段に記憶された上記逃亡者移動端末及び捜索者移動端末のそれぞれの識別情報に基づいて、上記逃亡者及び捜索者からなる参加者を認証し決定するとともに、該決定された参加者情報を上記管理サーバ記憶手段に記憶する参加者決定記憶手段を備え、
上記逃亡者移動端末は、さらに、上記管理サーバの参加者決定記憶手段により決定された上記参加者情報を受信する逃亡者移動端末受信手段を備え、
上記管理サーバは、上記管理サーバ記憶手段に記憶された参加者情報を、上記管理サーバ送信手段により、それぞれの上記逃亡者移動端末及び捜索者移動端末に通知する
ことを特徴とする請求項１又は２記載のアミューズメントシステム。
【請求項４】
上記管理サーバは、上記管理サーバ判断手段により上記管理サーバ記憶手段に上記逃亡者捕獲情報が記憶されたと判断された場合に、上記逃亡者捕獲情報と上記逃亡者捕獲情報が送信されてきた上記捜索者移動端末の識別情報とを関連付け、該関連付けされた捜索者移動端末の識別情報とは異なる上記識別情報を有する上記捜索者移動端末へ、上記逃亡者捕獲情報を上記管理サーバ送信手段により送信することを特徴とする請求項３記載のアミューズメントシステム。
【請求項５】
上記捜索者移動端末は、さらに、上記捜索者移動端末入力手段により上記逃亡者識別情報を受信するか否かのいずれかを選択する受信選択情報を、上記捜索者移動端末送信手段により送信し、
上記管理サーバは、上記管理サーバ受信手段により受信した上記受信選択情報に応じて、上記逃亡者識別情報を、上記管理サーバ送信手段により各捜索者移動端末に送信することを特徴とする請求項３記載のアミューズメントシステム。
【請求項６】
逃亡者が有する逃亡者移動端末と、該逃亡者移動端末からの逃亡者識別情報を管理する管理サーバと、該管理サーバから該逃亡者識別情報を入手する複数の捜索者が有する捜索者移動端末とからなるアミューズメントシステムの実行方法において、
上記逃亡者移動端末は、
静止画像及び／又は動画像を撮像手段により撮像する撮像工程と、
地球測位システムによる現在位置情報を現在位置情報取得手段により取得する現在位置情報取得工程と、
少なくとも、上記撮像手段により撮像された静止画像及び／又は動画像と上記現在位置情報取得手段により取得された現在位置情報とを含む上記逃亡者識別情報を上記管理サーバへ逃亡者移動端末送信手段により送信する逃亡者移動端末送信工程とを行い、
上記捜索者移動端末は、
上記管理サーバから送信されてくる逃亡者識別情報を捜索者移動端末受信手段により受信する捜索者移動端末受信工程と、
上記逃亡者を捕獲することにより得られる逃亡者捕獲情報が捜索者移動端末入力手段により入力される捜索者移動端末入力工程と、
上記捜索者移動端末入力工程により入力された逃亡者捕獲情報を上記管理サーバへ上記捜索者移動端末送信手段により送信する捜索者移動端末送信工程とを行い、
上記管理サーバは、
上記逃亡者移動端末からの逃亡者識別情報、及び、上記捜索者移動端末からの逃亡者捕獲情報を管理サーバ受信手段により受信する管理サーバ受信工程と、
上記管理サーバ受信手段により受信した上記逃亡者識別情報、及び、上記捜索者移動端末からの逃亡者捕獲情報を管理サーバ記憶手段に記憶する管理サーバ記憶工程と、
上記管理サーバ記憶手段に、上記逃亡者捕獲情報が記憶されているか否かを管理サーバ判断手段により判断する管理サーバ判断工程と、
上記管理サーバ記憶手段により記憶された逃亡者識別情報に基づいて上記逃亡者を識別する情報を上記捜索者移動端末へ送信するとともに、上記管理サーバ判断手段により上記管理サーバ記憶手段に上記逃亡者捕獲情報が記憶されたと判断された場合に当該逃亡者捕獲情報を、上記捜索者移動端末へ管理サーバ送信手段により送信する管理サーバ送信工程とを行う
ことを特徴とするアミューズメントシステムの実行方法。
【請求項７】
逃亡者が有する逃亡者移動端末と、該逃亡者移動端末からの逃亡者識別情報を管理する管理サーバと、該管理サーバから該逃亡者識別情報を入手する複数の捜索者が有する捜索者移動端末とからなるアミューズメントシステムをコンピュータにより実現させるためのプログラムであって、
上記逃亡者移動端末のコンピュータに、
静止画像及び／又は動画像を撮像手段により撮像する撮像手順と、
地球測位システムによる現在位置情報を現在位置情報取得手段により取得する現在位置情報取得手順と、
少なくとも、上記撮像手段により撮像された静止画像及び／又は動画像と上記現在位置情報取得手段により取得された現在位置情報とを含む上記逃亡者識別情報を上記管理サーバへ逃亡者移動端末送信手段により送信する逃亡者移動端末送信手順とを実行させ、
上記捜索者移動端末のコンピュータに、
上記管理サーバからの逃亡者識別情報を捜索者移動端末受信手段により受信する捜索者移動端末受信手順と、
上記逃亡者を捕獲することにより得られる逃亡者捕獲情報を上記管理サーバへ上記捜索者移動端末送信手段により送信する捜索者移動端末送信手順とを実行させ、
上記管理サーバのコンピュータに、
上記逃亡者移動端末からの逃亡者識別情報、及び、上記捜索者移動端末からの逃亡者捕獲情報を管理サーバ受信手段により受信する管理サーバ受信手順と、
上記管理サーバ受信手段により受信した上記逃亡者識別情報、及び、上記捜索者移動端末からの逃亡者捕獲情報を管理サーバ記憶手段に記憶する管理サーバ記憶手順と、
上記管理サーバ記憶手段に、上記逃亡者捕獲情報が記憶されているか否かを管理サーバ判断手段により判断する管理サーバ判断手順と、
上記管理サーバ記憶手段により記憶された逃亡者識別情報に基づいて上記逃亡者を識別する情報を上記捜索者移動端末へ送信するとともに、上記管理サーバ判断手段により上記管理サーバ記憶手段に上記逃亡者捕獲情報が記憶されたと判断された場合に当該逃亡者捕獲情報を、上記捜索者移動端末へ管理サーバ送信手段により送信する管理サーバ送信手順とを実行させる
ことを特徴とするアミューズメントシステムをコンピュータにより実現させるためのプログラム。
【請求項８】
逃亡者が有する逃亡者移動端末と、該逃亡者移動端末からの逃亡者識別情報を管理する管理サーバと、該管理サーバから該逃亡者識別情報を入手する複数の捜索者が有する捜索者移動端末とからなるアミューズメントシステムにおける当該管理サーバであって、
上記逃亡者移動端末からの逃亡者識別情報、及び、上記捜索者移動端末からの逃亡者捕獲情報を受信する管理サーバ受信手段と、
上記管理サーバ受信手段により受信した上記逃亡者識別情報、及び、上記捜索者移動端末からの逃亡者捕獲情報を記憶する管理サーバ記憶手段と、
上記管理サーバ記憶手段に、上記逃亡者捕獲情報が記憶されているか否かを判断する管理サーバ判断手段と、
上記管理サーバ記憶手段により記憶された逃亡者識別情報を上記捜索者移動端末へ送信するとともに、上記管理サーバ判断手段により上記管理サーバ記憶手段に上記逃亡者捕獲情報が記憶されたと判断された場合に当該逃亡者捕獲情報を、上記逃亡者捕獲情報を送信した上記捜索者移動端末以外の捜索者移動端末へ送信する管理サーバ送信手段とを備える
ことを特徴とするアミューズメントシステムにおける管理サーバ。
【請求項９】
逃亡者が有する逃亡者移動端末と、該逃亡者移動端末からの逃亡者識別情報を管理する管理サーバと、該管理サーバから該逃亡者識別情報を入手する複数の捜索者が有する捜索者移動端末とからなるアミューズメントシステムをコンピュータにより実現させるための当該管理サーバにおけるプログラムであって、
上記管理サーバのコンピュータに、
上記逃亡者移動端末からの逃亡者識別情報、及び、上記捜索者移動端末からの逃亡者捕獲情報を管理サーバ受信手段により受信する管理サーバ受信手順と、
上記管理サーバ受信手順により受信した上記逃亡者識別情報、及び、上記捜索者移動端末からの逃亡者捕獲情報を管理サーバ記憶手段に記憶する管理サーバ記憶手順と、
上記管理サーバ記憶手段に、上記逃亡者捕獲情報が記憶されているか否かを判断する管理サーバ判断手順と、
上記管理サーバ記憶手段により記憶された逃亡者識別情報を上記捜索者移動端末へ送信するとともに、上記管理サーバ判断手順により上記管理サーバ記憶手段に上記逃亡者捕獲情報が記憶されたと判断された場合に当該逃亡者捕獲情報を、上記逃亡者捕獲情報を送信した上記捜索者移動端末以外の捜索者移動端末へ送信する管理サーバ送信手順とを備える
ことを特徴とする管理サーバにおけるプログラム。
【発明の詳細な説明】
【技術分野】
【０００１】
本発明は、逃亡者が有する逃亡者移動端末と、この逃亡者移動端末からの逃亡者識別情報を管理する管理サーバと、この管理サーバから逃亡者識別情報を入手する複数の捜索者が有する捜索者移動端末とからなるアミューズメントシステム、その実行方法、その実現のためのプログラム、及び、そのシステムにおける管理サーバに関する。
【背景技術】
【０００２】
従来、遊びもしくは競技としてフォックスハンティングが、日本各地や世界各国でとり行われていた。このフォックスハンティングは、昔から親しまれた遊びとしての鬼ごっこから派生したものである。フォックスハンティングとは、一定の周波数帯域で電波信号を発信する無線機を所定の場所に設置するか、狐役（発見される側）が幾つかのルールを定めて運搬している同様の無線送信機を、無線発信機の場所や狐役の位置を知らされていない参加者達が、所持した無線受信機の受信感度や測定電波強度の強弱で方角・距離を推測、捜索または追跡するものである。したがって、上述のようなフォックスハンティングに参加するためには、無線受信機として、例えば、ワイドバンドレシーバーやハム無線機を必要とする上に、これらの無線受信機を使用するためには、免許が必要である。
【０００３】
フォックスハンティングは、無線発信機を発見することから、野生動物保護活動や海洋資源調査の一環として、動物に取り付けた電波発信機を利用しての生態調査や、航空機・船舶等の墜落機や遭難船の捜索などに利用されている。
【０００４】
しかしながら、このフォックスハンティングを行うためには、無線機という特殊な装置と、その装置を利用するための免許が必要であり、一般的ではなかった。
【０００５】
また、無線機によっては、感度をあげるために、大きなアンテナを用いたりと、装置自体が大がかりなものになり、この大がかりな装置を人通りの多い街中において使用するには、不向きであった。
【０００６】
【特許文献１】特開２００２−４９７０２号公報
【発明の開示】
【発明が解決しようとする課題】
【０００７】
そこで、本発明は、上述のような課題を解決するためになされたものであり、特殊な装置や、免許を必要とせずに、手軽に鬼ごっこの一種であるフォックスハンティングを行うことができ、逃亡者を発見するための技術手法に用いることができるアミューズメントシステムを提供することを目的とする。
【課題を解決するための手段】
【０００８】
上述の課題を解決するために、本発明は、逃亡者が有する逃亡者移動端末と、該逃亡者移動端末からの逃亡者識別情報を管理する管理サーバと、該管理サーバから該逃亡者識別情報を入手する複数の捜索者が有する捜索者移動端末とからなるアミューズメントシステムにおいて、上記逃亡者移動端末は、静止画像及び／又は動画像を撮像する撮像手段と、地球測位システムによる現在位置情報を取得する現在位置情報取得手段と、少なくとも、上記撮像手段により撮像された静止画像及び／又は動画像と上記現在位置情報取得手段により取得された現在位置情報とを含む上記逃亡者識別情報を上記管理サーバへ送信する逃亡者移動端末送信手段とを備え、上記捜索者移動端末は、上記管理サーバから送信されてくる逃亡者識別情報を受信する捜索者移動端末受信手段と、上記逃亡者を捕獲することにより得られる逃亡者捕獲情報が入力される捜索者移動端末入力手段と、上記捜索者移動端末入力手段により入力された逃亡者捕獲情報を上記管理サーバへ送信する捜索者移動端末送信手段とを備え、上記管理サーバは、上記逃亡者移動端末からの逃亡者識別情報、及び、上記捜索者移動端末からの逃亡者捕獲情報を受信する管理サーバ受信手段と、上記管理サーバ受信手段により受信した上記逃亡者識別情報、及び、上記捜索者移動端末からの逃亡者捕獲情報を記憶する管理サーバ記憶手段と、上記管理サーバ記憶手段に、上記逃亡者捕獲情報が記憶されているか否かを判断する管理サーバ判断手段と、上記管理サーバ記憶手段により記憶された逃亡者識別情報に基づいて上記逃亡者を識別する情報を上記捜索者移動端末へ送信するとともに、上記管理サーバ判断手段により上記管理サーバ記憶手段に上記逃亡者捕獲情報が記憶されたと判断された場合に当該逃亡者捕獲情報を、上記捜索者移動端末へ送信する管理サーバ送信手段とを備えることを特徴とする。
【０００９】
また、上記管理サーバは、さらに、残時間を算出する残時間算出手段を有し、上記残時間算出手段により算出された残時間を、上記管理サーバ送信手段により、上記逃亡者移動端末及び捜索者移動端末へ送信するようにしてもよい。
【００１０】
また、上記逃亡者移動端末の逃亡者移動端末送信手段は、上記管理サーバへ、上記逃亡者である旨と、当該逃亡者移動端末の識別情報とを送信し、上記捜索者移動端末の捜索者移動端末送信手段は、上記管理サーバへ、上記捜索者である旨と、当該捜索者移動端末の識別情報とを送信し、上記管理サーバの管理サーバ受信手段は、上記逃亡者移動端末及び捜索者移動端末のそれぞれの識別情報を受信し、上記管理サーバの管理サーバ記憶手段は、上記逃亡者移動端末及び捜索者移動端末のそれぞれの識別情報を記憶し、上記管理サーバは、さらに、上記管理サーバ記憶手段に記憶された上記逃亡者移動端末及び捜索者移動端末のそれぞれの識別情報に基づいて、上記逃亡者及び捜索者からなる参加者を認証し決定するとともに、該決定された参加者情報を上記管理サーバ記憶手段に記憶する参加者決定記憶手段を備え、上記逃亡者移動端末は、さらに、上記管理サーバの参加者決定記憶手段により決定された上記参加者情報を受信する逃亡者移動端末受信手段を備え、上記管理サーバは、上記管理サーバ記憶手段に記憶された参加者情報を、上記管理サーバ送信手段により、それぞれの上記逃亡者移動端末及び捜索者移動端末に通知するようにしてもよい。
【００１１】
また、上記管理サーバは、上記管理サーバ判断手段により上記管理サーバ記憶手段に上記逃亡者捕獲情報が記憶されたと判断された場合に、上記逃亡者捕獲情報と上記逃亡者捕獲情報が送信されてきた上記捜索者移動端末の識別情報とを関連付け、該関連付けされた捜索者移動端末の識別情報とは異なる上記識別情報を有する上記捜索者移動端末へ、上記逃亡者捕獲情報を上記管理サーバ送信手段により送信するようにしてもよい。
【００１２】
さらに、上記捜索者移動端末は、上記捜索者移動端末入力手段により上記逃亡者識別情報を受信するか否かのいずれかを選択する受信選択情報を、上記捜索者移動端末送信手段により送信し、上記管理サーバは、上記管理サーバ受信手段により受信した上記受信選択情報に応じて、上記逃亡者識別情報を、上記管理サーバ送信手段により各捜索者移動端末に送信するようにしてもよい。
【発明の効果】
【００１３】
本発明によれば、専用の機器を用いることなく、また、当該機器を使用するにあたり、免許等を必要とせず、多用途に用いられている移動端末を用いて、本アミューズメントシステムを実現することができる。
【発明を実施するための最良の形態】
【００１４】
以下、本発明が適用されたアミューズメントシステムを実施するための最良の形態を図面を参照して詳細に説明する。
【００１５】
図１に、本発明が適用されたアミューズメントシステム１０の構成図を示す。アミューズメントシステム１０は、例えば、管理サーバ２０の管理者によって管理運営され１人の逃亡者１１を複数の捜索者１２が捜索し捕獲する、いわゆる鬼ごっこをするための各種情報を参加者である逃亡者１１や捜索者１２に対して、管理配信するシステムである。アミューズメントシステム１０では、例えば、逃亡者１１から送信されてくる逃亡者識別情報１３や、捜索者１２から送信されてくる逃亡者を捕獲したという逃亡者捕獲情報１４を記憶し、それらの情報等を、参加者に対して送信するシステムである。
【００１６】
アミューズメントシステム１０は、逃亡者１１が有する逃亡者移動端末３０と、逃亡者移動端末３０からの逃亡者識別情報１３等の各種情報を管理する管理サーバ２０と、管理サーバ２０から逃亡者識別情報１３を入手する複数の捜索者１２が有する捜索者移動端末４０とから構成されている。アミューズメントシステム１０においては、コンピュータ同士の電子的なネットワークであるインターネット１に接続し利用することにより、インターネット１を介して他のコンピュータに対して電子的に情報を提供したり、他のコンピュータから情報を受信したり、また、電子メールの送信及び受信を行う。具体的には、アミューズメントシステム１０は、インターネット１に接続可能な管理サーバ２０が、無線電話ネットワーク４を介してインターネット１に接続可能で、逃亡者１１が有する携帯移動端末である逃亡者携帯電話３０と、捜索者１２が有する携帯移動端末である捜索者携帯電話４０−１〜４０−３や情報携帯端末（ＰＤＡ）４０−４（以下、総称して捜索者移動端末４０ともいう。）とに、各種情報を提供するとともに、各移動端末から送信されてくる情報を集約管理する。アミューズメントシステム１０は、逃亡者１１となる者と捜索者１２となる者とが、それぞれ有する携帯型の移動端末を用いることによって、参加者はアミューズメントシステム１０を利用することができる。
【００１７】
なお、逃亡者１１においても、携帯電話に限らず、携帯型の移動端末であればよく、例えば、捜索者１２と同様に、情報携帯端末（ＰＤＡ）を利用したものであってもよい。また、捜索者移動端末４０は、例示的に示したものであり、この設置台数等については、捜索者１２としての参加者の数に応じて変動するものである。
【００１８】
以上のようなアミューズメントシステム１０における管理サーバ２０は、図２に示すように、管理者による情報の入力等を可能とする入力部２１と、情報を一時的に格納するＲＡＭ（Random Access Memory）２２と、各種情報等を表示する表示部２３と、インターネット１を介して参加者から参加登録を受け付けて、その参加者に関する情報等を記憶する記憶部となるデータベース部２４と、逃亡者移動端末３０や捜索者移動端末４０に対して情報を電子メールにより送信する送信部２５と、逃亡者移動端末３０や捜索者移動端末４０から管理サーバ２０に対して送信されてくる情報を受信する受信部２６と、逃亡者捕獲情報１４がデータベース部２４に格納されているか否かを判断する判断部２７と、所定の時間を計測するタイマ部２８と、各部の制御を行う制御部２９と、バス２０Ａとを備え、各部がバス２０Ａによって接続されている。
【００１９】
管理サーバ２０に設けられる入力部２１は、カーソルキー、数字入力キー及び各種機能キー等を備えたキーボードや、ポインティングデバイスとしてのマウスであり、キーボード等により入力された入力情報を表示部２３に出力する。なお、入力部２１は、上述に限らず、数字入力キーのみを備えるものであってもよく、各キーを押下することにより入力された入力情報を表示部２３に出力するものであってもよい。
【００２０】
ＲＡＭ２２は、制御部２９により実行される各種プログラム、入力データ、処理結果等の各種データ等を格納することができるメモリを有し、このメモリに記憶された各種データ等を、制御部の指示によって、読み出し及び書き込みを行う。
【００２１】
表示部２３は、ＬＣＤ（Liquid Crystal Display）やＣＲＴ（Cathode Ray Tube）等からなり、入力部２１等によって入力される各種情報や、データベース部２４に記憶された各種データ等を制御部２９からの指示に従い、画面表示を行う。
【００２２】
データベース部２４は、管理サーバ２０の記憶部としての役目をし、アミューズメントシステム１０を実行させるためのプログラムやデータ等が予め記憶されている。また、データベース部２４は、格納されたプログラム等を実行することにより得られるデータや、逃亡者移動端末３０から送信されてくる逃亡者識別情報１３や、捜索者移動端末４０から送信されてくる逃亡者捕獲情報１４等の各種データを格納することができる。データベース部２４は、例えば、書込み可能な記録媒体を有し、磁気的、光学的記録媒体、または、半導体等の不揮発性メモリ等の読み取り及び書き込みが可能な記録媒体から構成されている。具体的に、データベース部２４は、ハードディスク等の固定的に設けたものや、ＣＤ−ＲＯＭ、メモリカード等の着脱自在に装着する可搬型のものからなる。
【００２３】
送信部２５は、インターネット１を介して、逃亡者移動端末３０や、捜索者移動端末４０に各種データを電子メールを送信し、受信部２６は、これら逃亡者移動端末３０や捜索者移動端末４０からの各種データを受信する。
【００２４】
判断部２７は、データベース部２４内に、捜索者移動端末４０から逃亡者１１を捕獲した際に送信されてくる逃亡者捕獲情報１４が格納されているか否かを判断する。この判断部２７は、逃亡者捕獲情報１４が格納されていると判断した場合には、制御部２９の指示により、逃亡者１１がある捜索者１２により捕獲された旨を各捜索者移動端末４０に通知する。
【００２５】
なお、判断部２７によって逃亡者捕獲情報１４がデータベース部２４に格納されていると判断された場合においては、上述のように、捜索者移動端末４０の全てに通知することに限らず、当該逃亡者捕獲情報１４を送信してきた捜索者移動端末４０については、逃亡者１１がある捜索者１２により捕獲された旨を通知しないようにしてもよい。
【００２６】
タイマ部２８は、逃亡時間の残り時間である残時間や、捜索者移動端末４０に送信するための逃亡者識別情報を一定期間経過ごとに要求するための一定期間を計測する。
【００２７】
制御部２９は、上述の各部を制御する。具体的には、制御部２９は、逃亡者となろうとする者からの逃亡者登録受付処理、捜索者となろうとする者からの捜索者登録受付処理、各種データの送受信処理等を、各部を制御することにより実行させる。各処理の詳細については、後述する。
【００２８】
アミューズメントシステム１０における逃亡者移動端末３０は、図３に示すように、逃亡者１１による情報の入力等を可能とする入力部３１と、情報を一時的に格納するＲＡＭ（Random Access Memory）３２と、各種情報等を表示する表示部３３と、静止画像及び動画像を撮像する撮像部３４と、地球測位システム（ＧＰＳ（Global Positioning System））による現在位置情報を取得するＧＰＳ部３５と、各種情報等を記憶する記憶部３６と、記憶部３６に記憶された情報等を管理サーバ２０に対して電子メール等により送信する送信部３７と、管理サーバ２０から送信されてくる情報等を受信する受信部３８と、各部を制御する制御部３９と、バス３０Ａとを備え、各部がバス３０Ａによって接続されている。
【００２９】
なお、逃亡者移動端末３０における各部のうち、入力部３１、ＲＡＭ３２、表示部３３、送信部３７、受信部３８、制御部３９は、管理サーバ２０の入力部２１、ＲＡＭ２２、表示部２３、送信部２５、受信部２６、制御部２９と同様の機能を有するものであり、その説明を省略する。
【００３０】
撮像部３４は、被写体の静止画像や動画像を撮像することができる、いわゆるカメラ部である。撮像部３４は、撮像された静止画像等を記憶部３６に記憶させる。
【００３１】
ＧＰＳ部３５は、地球測位システムによって現在位置情報を取得する。ＧＰＳ部３５は、取得された現在位置情報を記憶部３６に記憶させる。
【００３２】
記憶部３６は、アミューズメントシステム１０を実行させるために必要なプログラムや撮像部３４やＧＰＳ部３５によって得られた静止画像や、現在位置情報等のデータを記憶するための記憶領域を有する。記憶部３６は、格納されたプログラム等を実行することにより得られるデータや、管理サーバ２０から送信されてくる残時間等の各種情報を格納することができる。記憶部３６は、例えば、書込み可能な記録媒体であり、磁気的、光学的記録媒体、または、半導体等の不揮発性メモリ等の読み取り及び書き込みが可能な記録媒体からなる。
【００３３】
アミューズメントシステム１０における捜索者移動端末４０は、図４に示すように、捜索者１２による情報の入力や、逃亡者捕獲情報１４等を入力可能とする入力部４１と、情報を一時的に格納するＲＡＭ（Random Access Memory）４２と、各種情報等を表示する表示部４３と、各種情報等を記憶する記憶部４４と、記憶部４４に記憶された情報等を管理サーバ２０に対して電子メール等により送信する送信部４５と、管理サーバ２０から送信されてくる情報等を受信する受信部４６と、各部を制御する制御部４７と、バス４０Ａとを備え、各部がバス４０Ａによって接続されている。
【００３４】
なお、捜索者移動端末４０における各部は、それぞれ逃亡者移動端末３０の各部と同一名称については、同様の機能を有するものであり、その説明を省略する。
【００３５】
また、捜索者移動端末４０の入力部４１は、上述のように、キー操作を可能とするものに限らず、例えば、被写体を撮像する撮像部を有し、撮像された静止画像を画像処理し必要とする情報を読み取る、いわゆるＱＲコードの読み取り機能を有するものであってもよい。
【００３６】
次に、アミューズメントシステム１０の各構成要素について、さらに詳細に説明する。
【００３７】
まず、管理サーバ２０のデータベース部２４について説明をする。データベース部２４は、当該アミューズメントシステム１０を参加、利用している参加者に関する個人毎の情報が登録されている。このデータベース部２４は、管理サーバ２０の送信部２５による情報送信処理、受信部２６による情報受信処理、判断部２７による逃亡者１１が捕獲されたか否かの判断処理等に利用される。
【００３８】
データベース部２４には、図５に示すように、捜索者データベース２４Ａと、逃亡者データベース２４Ｂと、逃亡者識別情報データベース２４Ｃと、逃亡者捕獲情報データベース２４Ｄとを有する。
【００３９】
データベース部２４の捜索者データベース２４Ａは、固有番号フィールド２４Ａ−１、ニックネームフィールド２４Ａ−２、メールアドレスフィールド２４Ａ−３、性別フィールド２４Ａ−４、年齢フィールド２４Ａ−５、住所フィールド２４Ａ−６、職業フィールド２４Ａ−７、リアルタイム配信希望フィールド２４Ａ−８とから構成されている。
【００４０】
固有番号フィールド２４Ａ−１は、レコード毎に一意に決まる固有番号が記憶されるフィールドである。従って、登録した各捜索者１２には、それぞれ一意な固有番号が与えられる。固有番号は、本登録が完了して、その捜索者１２に対するレコードを作成したときにデータベース部２４が自動発生する。
【００４１】
ニックネームフィールド２４Ａ−２は、登録した捜索者１２を識別するためのテキスト名称（ニックネーム）が記憶されるフィールドである。ニックネームは、その捜索者１２が自身で自由に決定することができ、後述する本登録の登録画面６１のニックネーム入力ボックス６１−１から入力される。
【００４２】
メールアドレスフィールド２４Ａ−３は、登録した捜索者１２の電子メールのアドレスが記憶されるフィールドである。電子メールのアドレスは、後述する仮登録時にその捜索者１２自身により入力される。
【００４３】
性別フィールド２４Ａ−４は、登録した捜索者１２の性別が記憶されるフィールドである。性別は、登録画面６１の性別チェックボタン６１−２からその捜索者１２により入力される。
【００４４】
年齢フィールド２４Ａ−５は、登録した捜索者１２の年齢が記憶されるフィールドである。年齢は、登録画面６１の年齢入力ボックス６１−３からその捜索者１２により入力される。
【００４５】
住所フィールド２４Ａ−６は、登録した捜索者１２の住所が記憶されるフィールドである。住所は、登録画面６１の住所入力ボックス６１−４から入力される。
【００４６】
職業フィールド２４Ａ−７は、登録した捜索者１２の職業が記憶されるフィールドである。職業は、登録画面６１の職業入力ボックス６１−５から入力される。
【００４７】
リアルタイム配信希望フィールド２４Ａ−８は、管理サーバ２０からその捜索者１２に対して、逃亡者識別情報１３を送信してよいか否かを示すフラグが記憶されるフィールドである。リアルタイム配信の希望可否は、登録画面６１のリアルタイム配信選択チェックボックス６１−６から入力される。
【００４８】
なお、逃亡者データベース２４Ｂは、捜索者データベース２４Ａにおいて、捜索者１２の代わりに逃亡者１１の個人情報が記憶されるデータベースであることからその説明は省略する。
【００４９】
データベース部２４の逃亡者識別情報データベース２４Ｃは、固有番号フィールド２４Ｃ−１、逃亡者識別番号フィールド２４Ｃ−２、静止画像フィールド２４Ｃ−３、動画像フィールド２４Ｃ−４、ＧＰＳフィールド２４Ｃ−５、コメントフィールド２４Ｃ−６とから構成されている。
【００５０】
固有番号フィールド２４Ｃ−１は、レコード毎に一意に決まる固有番号が記憶されるフィールドである。固有番号は、管理サーバ２０において、受信部２６が逃亡者識別情報１３を受信し、そのレコードを作成したときにデータベース部２４が自動発生する番号である。
【００５１】
逃亡者識別番号フィールド２４Ｃ−２は、当該逃亡者識別情報１３を送信してきた逃亡者の固有番号が記憶されるフィールドである。逃亡者識別番号は、逃亡者として参加登録を行う際に逃亡者ごとに一意に決まる固有番号であり、逃亡者データベース２４Ｂに記憶される固有番号と関連付けされている。
【００５２】
静止画像フィールド２４Ｃ−３は、逃亡者１１によって送信されてくる逃亡者識別情報１３に含まれる静止画像が記憶されるフィールドである。静止画像は、逃亡者１１が任意に選択し逃亡者識別情報１３として送信できるので、レコードによってはデータが存在しない場合もある。
【００５３】
動画像フィールド２４Ｃ−４は、逃亡者１１によって送信されてくる逃亡者識別情報１３に含まれる動画像が記憶されるフィールドである。動画像は、逃亡者１１が任意に選択し逃亡者識別情報１３として送信できるので、レコードによってはデータが存在しない場合もある。
【００５４】
ＧＰＳフィールド２４Ｃ−５は、逃亡者１１によって送信されてくる逃亡者識別情報１３に含まれる現在位置情報が記憶されるフィールドである。現在位置情報は、逃亡者が逃亡者識別情報１３を送信してくるごとに含まれるデータである。
【００５５】
コメントフィールド２４Ｃ−６は、逃亡者１１によって送信されてくる逃亡者識別情報１３に含まれるコメントとしてのテキストデータが記憶されるフィールドである。コメントは、逃亡者１１を捕獲するための情報を逃亡者自身によって入力し、逃亡者識別情報１３として送信するもので、レコードによってはデータが存在しない場合もある。
【００５６】
データベース部２４の逃亡者捕獲情報データベース２４Ｄは、固有番号フィールド２４Ｄ−１、捜索者識別番号フィールド２４Ｄ−２、逃亡者識別番号フィールド２４Ｄ−３とから構成されている。
【００５７】
固有番号フィールド２４Ｄ−１は、レコード毎に一意に決まる固有番号が記憶されるフィールドである。固有番号は、管理サーバ２０において、受信部２６が逃亡者捕獲情報１４を受信し、そのレコードを作成したときにデータベース部２４が自動発生する番号である。
【００５８】
捜索者識別番号フィールド２４Ｄ−２は、当該逃亡者捕獲情報１４を送信してきた捜索者１２の固有番号が記憶されるフィールドである。捜索者識別番号は、捜索者として参加登録を行う際に捜索者ごとに一意に決まる固有番号であり、捜索者データベース２４Ａに記憶される固有番号と関連付けされている。
【００５９】
捜索者識別番号フィールド２４Ｄ−２は、当該逃亡者捕獲情報１４を送信してきた捜索者１２の固有番号が記憶されるフィールドである。捜索者識別番号は、捜索者１２として参加登録を行う際に捜索者１２ごとに一意に決まる固有番号であり、捜索者データベース２４Ａに記憶される固有番号と関連付けされている。
【００６０】
逃亡者識別番号フィールド２４Ｄ−３は、捜索者１２によって送信されてくる逃亡者捕獲情報１４に含まれる捕獲された逃亡者１１を識別する番号が記憶されるフィールドである。逃亡者識別番号は、逃亡者１１として参加登録を行う際に逃亡者１１ごとに一意に決まる固有番号であり、逃亡者データベース２４Ｂに記憶される固有番号と関連付けされている。
【００６１】
なお、逃亡者捕獲情報データベース２４Ｄにおける逃亡者識別番号２４Ｄ−３の代わりに、逃亡者１１を捕獲した際に当該逃亡者１１によって捜索者１２に付与される捕獲されたというキー情報であればよく、当該逃亡者１１が保持する固有番号であってもよい。
【００６２】
次に、データベース部２４への参加登録処理の１つである捜索者参加受付処理手順について説明をする。
【００６３】
捜索者１２になろうとする者は、その者が有する携帯移動端末４０を用いて、管理サーバ２０にインターネット１経由でアクセスを行い、管理サーバ２０からの指示に従って、所定の情報を入力部４１により入力していくことによって、アミューズメントシステム１０の参加登録をすることができる。参加登録は、仮登録を行った後に、本登録を行うことにより行われる。
【００６４】
管理サーバ２０は、所定のインターネットアドレス（ＵＲＬ）に図６（Ａ）に示すようなメインページ５１を提供している。捜索者となろうとする者は、携帯移動端末４０を用いて、このインターネットアドレス（ＵＲＬ）にアクセスを行い、メインページ５１を表示する。
【００６５】
メインページ５１には、アミューズメントシステム１０が提供するおにごっこの利用方法、ルール等の説明を表示させるための「おにごっことは」と表示された説明情報表示ボタン５１−１と、アミューズメントシステム１０が提供するおにごっこの逃亡者識別情報１３等を表示させるための「最新情報」と表示された最新情報表示ボタン５１−２と、現在登録され、逃亡中の逃亡者１１である指名手配犯の一覧を表示させる「指名手配者書」と表示された逃亡者一覧表示ボタン５１−３と、逃亡者や捜索者となろうとする者が登録を行う登録ボタン５１−４、５１−５とが表示されている。
【００６６】
メインページ５１上で登録ボタン５１−５を押すと、捜索者１２になろうとする者の携帯移動端末４０には、図６（Ｂ）に示すような仮登録画面５２が表示される。仮登録画面５２には、電子メールアドレスの入力ボックス５２−１と、送信ボタン５２−２とが表示されている。
【００６７】
捜索者１２になろうとする者は、携帯移動端末４０を用いて、入力ボックス５２−１に自分の電子メールアドレスを入力した後、送信ボタン５２−２が押されることによって、仮登録が完了する。
【００６８】
仮登録が完了すると、その後、携帯移動端末４０には、図６（Ｃ）に示すような捜索者１２になろうとする者の携帯移動端末４０に対して仮登録が完了したことを通知する電子メール５３が管理サーバ２０から送信される。当該電子メール５３には、本登録を行うためのＵＲＬ５３−１が記載されている。携帯移動端末４０を用いて当該ＵＲＬ５３−１を表示することにより、アミューズメントシステム１０における捜索者１２としての登録のための本登録が開始される。
【００６９】
続いて、本登録の流れについて、図７を用いて説明する。
【００７０】
アミューズメントシステム１０の管理サーバ２０は、電子メールに記述したＵＲＬ５３−１に、図７（Ａ）に示すような登録画面６１を提供している。
【００７１】
捜索者１２は、携帯移動端末４０を用いて、電子メールに記述されたＵＲＬ５３−１にアクセスを行い、登録画面６１を表示する。
【００７２】
登録画面６１には、その捜索者１２に関する個人情報を入力するためのオブジェクト等が表示されている。具体的には、登録画面６１には、その捜索者１２のニックネームが入力されるニックネーム入力ボックス６１−１と、その捜索者１２の性別が入力される性別チェックボックス６１−２と、その捜索者１２の年齢が入力される年齢入力ボックス６１−３と、その捜索者１２の住所が入力される住所入力ボックス６１−４と、その捜索者１２の職業が入力される職業入力ボックス６１−５と、逃亡者識別情報がリアルタイムで送付されてきても良いか否かの意思が入力されるリアルタイム配信選択チェックボックス６１−６と、入力を完了し、入力情報を送信する登録ボタン６１−７とが表示されている。
【００７３】
捜索者１２は、携帯移動端末４０を用いて、登録画面６１の各オブジェクト６１−１〜６１−６に必要な事項を全て入力した後、登録ボタン６１−７が押されることによって、これらの情報のデータベース部２４への登録が完了する。
【００７４】
なお、登録画面６１における各オブジェクトは、上述に限らず、捜索者１２のさらに詳細な情報を入力できるようにし、逃亡者識別情報１３の送信時の詳細な選別を可能とするようにしてもよい。具体的には、リアルタイム配信選択チェックボックス６１−６の代わりに、図７（Ｂ）に示すような逃亡者識別情報１３の配信を希望する時間帯を選択できるような配信希望選択画面６２を表示するようにしてもよい。また、住所入力ボックス６１−４においても、図７（Ｃ）に示すような住所入力の他に、参加希望地域を選択できる参加希望地域選択チェックボックス６３−１を表示する住所入力画面６３を表示するようにしてもよい。このように、詳細な捜索者１２の情報の入力を要求することにより、捜索者１２の時間的、地域的な都合に対応できるようにすることができる。
【００７５】
登録画面６１で登録ボタン６１−７が押されると、携帯移動端末４０には、図７（Ｄ）に示すような本登録が完了した旨と、その捜索者１２の固有番号とを表示する登録完了画面６４が表示される。携帯移動端末４０を用いて、必要な情報が入力、選択された後、登録ボタン６１−７が押されることによって、管理サーバ２０のデータベース部２４への本登録が完了する。
【００７６】
以上のように本登録が完了すると、データベース部２４は、自身が記憶しているレコードリストに対して、以上の入力内容を反映したその捜索者１２に関するレコードを１つ追加する。従って、データベース部２４は、アミューズメントシステム１０の管理サーバ２０に対して参加登録をした各捜索者１２に関する情報を記憶している。
【００７７】
なお、参加登録処理の逃亡者参加受付処理手順については、捜索者参加受付処理のうち、捜索者１２の代わりに逃亡者１１を参加受付すること以外は、上述と同様のため、その説明を省略する。
【００７８】
次に、各種データの送受信処理手順、具体的には、管理サーバ２０の送信部２５、受信部２６の処理手順について説明する。まず、逃亡者移動端末３０から送信されてくる逃亡者識別情報１３を各捜索者１２に送信する情報送信処理について説明する。
【００７９】
管理サーバ２０の送信部２５は、逃亡者１１の逃亡者移動端末３０から送信されてくる逃亡者識別情報１３や、その逃亡者識別情報１３に基づいて当該逃亡者１１を識別するための情報等を電子メールによりインターネット１を介して捜索者１２に配信するものである。
【００８０】
図８に、送信部２５による情報配信の流れを示す。
【００８１】
まず、ステップＳ１において、管理サーバ２０の制御部２９は、タイマ部２８の計測時間に基づいて、逃亡者識別情報１３を送信する時間がどうかを判断する。制御部２９は、逃亡者識別情報１３を送信する時間であると判断した場合には、ステップＳ２に進み、送信する時間ではないと判断した場合には、ステップＳ１を繰り返す。具体的には、この送信する時間は、例えば、前回の逃亡者識別情報１３の送信時間から３０分が経過時点のように予め決められた時間であってもよく、また、逃亡者１１あるいは捜索者１２によって設定される時間であってもよい。
【００８２】
次に、ステップＳ２において、制御部２９は、データベース部２４の逃亡者識別情報データベース２４Ｃに最新のデータを検索する。
【００８３】
次に、ステップＳ３において、制御部２９は、逃亡者識別情報データベース２４Ｃに最新のデータ、すなわち、前回送信した逃亡者識別情報１３とは異なるデータかどうかを判断する。ステップＳ３において、最新のデータであると判断した場合には、ステップＳ５に進み、最新のデータでないと判断した場合には、ステップＳ４に進む。
【００８４】
ステップＳ４においては、制御部２９は、逃亡者１１に対して、最新の逃亡者識別情報１３を送信してくる要求を電子メールにて送信するように、送信部２５に指示し、ステップＳ２を繰り返す。
【００８５】
ステップＳ５において、制御部２９は、当該逃亡者識別情報１３を配信する捜索者１２の送信先であるメールアドレスを捜索者データベース２４Ａのメールアドレスフィールド２４Ａ−３から取得する。
【００８６】
次に、ステップＳ６において、制御部２９は、逃亡者識別情報データベース２４Ｃから取得した逃亡者識別情報１３に基づいて、各捜索者１２に送信する逃亡者を識別するための情報を加工する。具体的には、図９（Ａ）に示すような表示画面７１を表示させる。図９（Ａ）に示すように、表示画面７１には、逃亡者１１の現在位置情報や、静止画像を表示させるためのＵＲＬ７１−１が表示されている。このＵＲＬ７１−１にアクセスすると、図９（Ｂ）及び（Ｃ）に示すような表示画面７２、７３が表示される。表示画面７２には、逃亡者識別情報データベース２４ＣのＧＰＳフィールド２４Ｃ−５に記憶された現在位置情報に基づいて作成された現在位置がマークされた地図７２−１と、逃亡者識別情報データベース２４Ｃのコメントフィールド２４Ｃ−６に記憶されたテキストデータに基づいて作成されたコメント７２−２とが表示される。また、表示画面７３には、逃亡者識別情報データベース２４Ｃの静止画像フィールド２４Ｃ−３に記憶された静止画像に基づいて作成された静止画像７３−１が表示される。
【００８７】
次に、ステップＳ７において、制御部２９は、送信部２５にステップＳ６において加工作成された逃亡者を識別するための情報を電子メールにより、各捜索者１２に送信する。
【００８８】
以上のようにして、管理サーバ２０の制御部２９は、送信部２５によって電子メールを送信し、情報送信処理を完了する。
【００８９】
なお、上述の情報送信処理においては、送信する逃亡者を識別するための情報を逃亡者識別情報１３に基づいて加工しているが、これに限らず、逃亡者１１から送信された逃亡者識別情報１３を加工を施さずに送信するようにしてもよい。
【００９０】
次に、逃亡者１１の逃亡者移動端末３０による管理サーバ２０に送信する逃亡者識別情報１３の情報送信処理について説明する。
【００９１】
逃亡者識別情報１３を送信しようとする逃亡者１１は、その者が有する逃亡者移動端末３０を用いて、管理サーバ２０にインターネット１経由でアクセスを行い、管理サーバ２０からの指示に従って、所定の情報を入力部３１により入力していくことによって、逃亡者識別情報１３の送信をすることができる。
【００９２】
管理サーバ２０は、所定のインターネットアドレス（ＵＲＬ）に図１０（Ａ）に示すような逃亡者識別情報更新ページ８１を提供している。逃亡者１１は、逃亡者移動端末３０を用いて、このインターネットアドレス（ＵＲＬ）にアクセスを行い、逃亡者識別情報更新ページ８１を表示する。逃亡者識別情報更新ページ８１には、ログインボタン８１−１が表示されている。
【００９３】
逃亡者１１は、ログインボタン８１−１を押すことによって、図１０（Ｂ）に示すような逃亡者識別情報更新画面８２を表示させることができる。逃亡者１１によるログインボタン８１−１の操作によって、管理サーバ２０は、逃亡者移動端末３０から送信される逃亡者移動端末３０に記憶された固有の識別番号と、予め当該逃亡者１１を識別する逃亡者識別番号が記憶された管理サーバ２０の逃亡者データベース２４Ｂの固有番号フィールドの固有番号とを関連付けて、逃亡者識別情報更新画面８２を表示する。
【００９４】
逃亡者識別情報更新画面８２には、居場所入力ボックス８２−１と、コメント入力ボックス８２−２と、確認画面８３を表示させるためのボタン８２−３とが表示されている。
【００９５】
各入力ボックス８２−１、８２−２内に情報を入力した後、逃亡者識別情報更新画面８２上でボタン８２−３を押すと、逃亡者１１の逃亡者移動端末３０には、図１０（Ｃ）に示すような確認画面８３が表示される。確認画面８３には、逃亡者識別情報更新画面８２において入力した情報が表示されるとともに、その内容で良いかどうかを確認する確認ボタン８３−１が表示されている。
【００９６】
逃亡者１１は、逃亡者移動端末３０を用いて、確認画面８３に表示された内容で良ければ確認ボタン８３−１が押されることによって、図１０（Ｄ）に示すように、入力した逃亡者識別情報が電子メール８４に添付される。
【００９７】
逃亡者１１は、逃亡者移動端末３０を用いて、電子メール８４の送信ボタン８４−１を押すと、管理サーバ２０に、当該入力した逃亡者識別情報１３を送信する。
【００９８】
管理サーバ２０においては、受信部２６で逃亡者１１からの逃亡者識別情報１３を受信すると、添付された各情報をデータベース部２４の逃亡者識別情報データベース２４Ｃに各フィールドごとに記憶し、データを更新する。
【００９９】
次に、管理サーバ２０による逃亡者捕獲情報１４の各捜索者１２への情報送信処理について説明する。
【０１００】
管理サーバ２０の送信部２５は、捜索者１２の捜索者移動端末４０から送信されてくる逃亡者捕獲情報１４や、その逃亡者捕獲情報１４に基づいて当該逃亡者１１を捕獲した情報等を電子メールによりインターネット１を介して捜索者１２に配信するものである。
【０１０１】
図１１に、送信部２５による情報配信の流れを示す。
【０１０２】
まず、ステップＳ１１において、管理サーバ２０の制御部２９は、データベース部２４の逃亡者捕獲情報データベース２４Ｄに逃亡者捕獲情報１４が記憶されているか検索する。
【０１０３】
次に、ステップＳ１２において、制御部２９は、逃亡者捕獲情報データベース２４Ｄに逃亡者捕獲情報１４、すなわち、捜索者１２によって逃亡者１１が捕獲された際に逃亡者１１から取得できる逃亡者識別番号を付与された情報が記憶されているかどうかを判断する。ステップＳ１２において、逃亡者捕獲情報１４があると判断した場合には、ステップＳ１３に進み、逃亡者捕獲情報１４がないと判断した場合には、ステップＳ１２を繰り返す。
【０１０４】
ステップＳ１３において、制御部２９は、当該逃亡者捕獲情報１４を配信する捜索者１２の送信先であるメールアドレスを捜索者データベース２４Ａのメールアドレスフィールド２４Ａ−３から取得する。
【０１０５】
次に、ステップＳ１４において、制御部２９は、逃亡者捕獲情報データベース２４Ｄから取得した逃亡者捕獲情報１４に基づいて、各捜索者１２に送信する逃亡者が捕獲された旨、及び、ゲームの終了を通知する情報を加工する。具体的には、図１２に示すような内容が記載された電子メール９１を作成する。図１２に示すように、電子メール９１には、逃亡者が捕獲された旨と、誰によって捕獲されたかを示すメッセージ、例えば「逃亡者が○○○さんによって、捕獲されました。」と、逃亡者が捕獲されたことによりゲームが終了した旨が記載される。この電子メール９１は、制御部２９によって、逃亡者捕獲情報データベース２４Ｄの捜索者識別番号フィールド２４Ｄ−２に基づいて、捜索者１２を特定し、その特定された捜索者１２のニックネームを捜索者データベース２４Ａのニックネームフィールド２４Ａ−２から検索することによって作成される。
【０１０６】
最後に、ステップＳ１５において、制御部２９は、送信部２５にステップＳ１４において加工作成された逃亡者を捕獲した旨が記載された電子メールを、各捜索者１２に送信する。
【０１０７】
以上のようにして、管理サーバ２０の制御部２９は、送信部２５によって電子メールを送信し、情報送信処理を完了する。
【０１０８】
なお、上述の情報送信処理においては、送信する逃亡者を捕獲した旨の情報を逃亡者捕獲情報１４に基づいて加工しているが、これに限らず、捜索者１２から送信された逃亡者捕獲情報１４を加工を施さずに送信するようにしてもよい。
【０１０９】
また、上述のステップＳ１５においては、ステップＳ１３で取得した逃亡者捕獲情報１４を配信する捜索者１２リストの送信先に送信することについて述べたが、これに限らず、この逃亡者捕獲情報１４の送信先として、逃亡者捕獲情報１４を送信してきた捜索者１２を除外するようにしてもよい。具体的には、上述のステップＳ１３において、配信する捜索者リストの取得の際に、制御部２９は、捜索者リストに、逃亡者捕獲情報１４を送信してきた捜索者１２が含まれるかどうかを判断し、含まれている場合には、除外するようにしてもよい。制御部２９は、逃亡者捕獲情報データベース２４Ｄ内の捜索者識別番号と、捜索者データベース２４Ａの固有番号とを関連付け、この関連付けられたレコードのメールアドレスに対しては、逃亡者捕獲情報１４を送信しないようにしてもよい。
【０１１０】
次に、捜索者１２が逃亡者１１を捕獲した際に捜索者移動端末４０を用いて管理サーバ２０に逃亡者捕獲情報１４を送信する情報送信処理について説明する。
【０１１１】
逃亡者捕獲情報１４を送信しようとする捜索者１２は、その者が有する捜索者移動端末４０を用いて、逃亡者１１の捕獲に伴い当該逃亡者１１から渡されるＵＲＬにアクセスすることによって、管理サーバ２０にインターネット１経由でアクセスを行い、管理サーバ２０からの指示に従って、所定の情報を入力部４１により入力していくことによって、逃亡者捕獲情報１４の送信をすることができる。
【０１１２】
管理サーバ２０は、所定のインターネットアドレス（ＵＲＬ）に図１３（Ａ）に示すような逃亡者捕獲情報送信ページ９２を提供している。捜索者１２は、捜索者移動端末４０を用いて、このインターネットアドレス（ＵＲＬ）にアクセスを行い、逃亡者捕獲情報送信ページ９２を表示する。逃亡者捕獲情報送信ページ９２には、ログインボタン９２−１が表示されている。
【０１１３】
捜索者１２は、ログインボタン９２−１を押すことによって、図１３（Ｂ）に示すようなパスワード入力画面９３を表示させることができる。
【０１１４】
パスワード入力画面９３には、パスワード入力ボックス９３−１と、逃亡者捕獲情報１４を送信するための電子メールを作成するボタン９３−２とが表示されている。
【０１１５】
パスワード入力ボックス９３−１内に捕獲した逃亡者１１から得られるパスワードを入力した後、パスワード入力画面９３上でボタン９３−２を押すと、捜索者１２の捜索者移動端末４０には、図１３（Ｃ）に示すような電子メール９４が作成される。電子メール９４には、逃亡者を捕獲した旨と、そのときに得られ、入力したパスワード表示されるとともに、その電子メールを送信する送信ボタン９４−１が表示されている。
【０１１６】
捜索者１２は、捜索者移動端末４０を用いて、電子メール９４の送信ボタン９４−１を押すと、管理サーバ２０に、当該入力した逃亡者捕獲情報１４を送信する。
【０１１７】
管理サーバ２０においては、受信部２６で捜索者１２からの逃亡者捕獲情報１４を受信すると、添付された各情報をデータベース部２４の逃亡者捕獲情報データベース２４Ｄに各フィールドごとに記憶し、データを更新する。
【０１１８】
以上のようにして、アミューズメントシステム１０の管理サーバ２０は、情報の送受信処理を行う。
【０１１９】
以上のようにアミューズメントシステム１０では、携帯電話、ＰＤＡ、ノートＰＣ等の携帯型の移動端末を用いることによって、従来、無線機などの専用の機器や、それら機器を使用するために必要な免許を必要とせずに実現することができる。
【０１２０】
なお、上述した各処理を実現させるためのプログラム、データ等は、各移動端末３０、４０の記憶部３６、４４や管理サーバ２０のデータベース部２４のいずれかに記憶させる必要はなく、その一部又は全部をＬＡＮ、ＷＡＮ等の所定の通信ネットワークを介して各受信部２６、３８、４６から受信して格納する構成にしてもよい。また、これら各種プログラムをインターネット１を介して、送信及びインストールする構成にしてもよい。
【図面の簡単な説明】
【０１２１】
【図１】本発明が適用されたアミューズメントシステムの構成図である。
【図２】アミューズメントシステムにおける管理サーバの構成図である。
【図３】アミューズメントシステムにおける逃亡者移動端末の構成図である。
【図４】アミューズメントシステムにおける捜索者移動端末の構成図である。
【図５】管理サーバのデータベース部の構成を示した図である。
【図６】仮登録時の表示画面を示した図である。
【図７】本登録時の表示画面を示した図である。
【図８】管理サーバによる逃亡者識別情報の送信処理を示したフローチャートである。
【図９】逃亡者識別情報の表示画面を示した図である。
【図１０】逃亡者移動端末の逃亡者識別情報の送信に伴う表示画面を示した図である。
【図１１】管理サーバによる逃亡者捕獲情報の送信処理を示したフローチャートである。
【図１２】逃亡者捕獲情報の表示画面を示した図である。
【図１３】逃亡者捕獲情報の送信に伴う表示画面を示した図である。
【符号の説明】
【０１２２】
１  インターネット、４  無線電話ネットワーク、１０  アミューズメントシステム、１１  逃亡者、１２  捜索者、１３  逃亡者識別情報、１４  逃亡者捕獲情報、２０  管理サーバ、２０Ａ  バス、２１  入力部、２３  表示部、２４  データベース部、２４Ａ  捜索者データベース、２４Ｂ  逃亡者データベース、２４Ｃ  逃亡者識別情報データベース、２４Ｄ  逃亡者捕獲情報データベース、２５  送信部、２６  受信部、２７  判断部、２８  タイマ部、２９  制御部、３０  逃亡者移動端末、３０Ａ  バス、３１  入力部、３３  表示部、３４  撮像部、３５  ＧＰＳ部、３６  記憶部、３７  送信部、３８  受信部、３９  制御部、４０  捜索者移動端末、４０Ａ  バス、４１  入力部、４３  表示部、４４  記憶部、４５  送信部、４６  受信部、４７  制御部、５１  メインページ、５２  仮登録画面、５３  電子メール、６１  登録画面、６２  配信希望選択画面、６３  住所入力画面、６４  登録完了画面、７１  表示画面、７２  表示画面、７３  表示画面、８１  逃亡者識別情報更新ページ、８２  逃亡者識別情報更新画面、８３  確認画面、８４  電子メール、９１  電子メール、９２  逃亡者捕獲情報送信ページ、９３  パスワード入力画面、９４  電子メール
【図１】
2008183231.tif 000003
【図２】
2008183231.tif 000004
【図３】
2008183231.tif 000005
【図４】
2008183231.tif 000006
【図５】
2008183231.tif 000007
【図６】
2008183231.tif 000008
【図７】
2008183231.tif 000009
【図８】
2008183231.tif 000010
【図９】
2008183231.tif 000011
【図１０】
2008183231.tif 000012
【図１１】
2008183231.tif 000013
【図１２】
2008183231.tif 000014
【図１３】
2008183231.tif 000015